(57)【特許請求の範囲】
【請求項１】
入力された電力から、放電灯に供給するための電力の電流を制御して出力する電源部と、
前記放電灯の駆動電圧を検出する電圧検出部と、
検出された前記放電灯の駆動電圧に応じて、前記電源部から前記放電灯に供給される振幅変調された駆動電流の変調率を制御する制御部と、
を備え、
前記制御部は、
前記放電灯の駆動電圧が所定の閾値以上の場合、前記放電灯に供給される駆動電流の変調率を所定の変調率に制御し、前記放電灯の駆動電圧が前記所定の閾値より低い場合、前記放電灯の駆動電圧の低下に応じて、前記放電灯に供給される駆動電流の変調率を前記所定の変調率より低い変調率に制御する
ことを特徴とする放電灯駆動装置。
【請求項２】
前記放電灯の駆動電流を検出する電流検出部、
を備え、
前記制御部は、
前記放電灯に供給される駆動電流の変調率を制御する場合、
検出された前記放電灯の駆動電圧と駆動電流とに基づいて算出した前記放電灯の駆動電力の平均電力が、一定となるように制御する
ことを特徴とする請求項１に記載の放電灯駆動装置。
【請求項３】
前記放電灯に供給される駆動電流の変調周波数は、入力される映像同期信号の周波数に同期した周波数である
ことを特徴とする請求項１または請求項２に記載の放電灯駆動装置。
【請求項４】
前記所定の閾値は、前記放電灯が製造された初期における駆動電圧以下の電圧である
ことを特徴とする請求項１から請求項３のいずれか１項に記載の放電灯駆動装置。
【請求項５】
請求項１に記載の放電灯駆動装置を備える
ことを特徴とするプロジェクター。
【請求項６】
請求項１に記載の放電灯駆動装置と、
時分割方式により、投射される映像を左眼用映像と右眼用映像とに交互に切り替える制御をするとともに、前記左眼用映像と前記右眼用映像との切り替えタイミングに同期した映像同期信号を出力する映像制御部と、
を備え、
前記放電灯駆動装置は、
前記映像同期信号に基づいて、前記放電灯に供給する駆動電流を前記映像同期信号の周波数に同期させた周波数で振幅変調する
ことを特徴とするプロジェクター。
【請求項７】
電源部が、入力された電力から、放電灯に供給するための電力の電流を制御して出力する手順と、
電圧検出部が、前記放電灯の駆動電圧を検出する手順と、
制御部が、検出された前記放電灯の駆動電圧に応じて、前記電源部から前記放電灯に供給される振幅変調された駆動電流の変調率を制御する制御手順と、
を有し、
前記制御部が、前記制御手順において、
前記放電灯の駆動電圧が所定の閾値以上の場合、前記放電灯に供給される駆動電流の変調率を所定の変調率に制御し、前記放電灯の駆動電圧が前記所定の閾値より低い場合、前記放電灯の駆動電圧の低下に応じて、前記放電灯に供給される駆動電流の変調率を前記所定の変調率より低い変調率に制御する
ことを特徴とする放電灯駆動方法。
【発明の詳細な説明】
【技術分野】
【０００１】
本発明は、放電灯駆動装置、プロジェクター、及び放電灯駆動方法に関する。
【背景技術】
【０００２】
従来、映像をスクリーンに投射するプロジェクターにおいて、プロジェクターの光源に用いられる放電灯の駆動電流（以下、ランプ電流ともいう）を振幅変調して駆動することにより、色バランス、または明るさを制御する技術がある。例えば、光源から出射される白色光を、Ｒ（赤）、Ｇ（緑）、Ｂ（青）の色フィルターを含むカラーホイールを用いて時分割し、この時分割した光をそれぞれの色の映像信号に変調して投射するプロジェクターがある。このようなプロジェクターにおいて、所定の色フィルターを通過する時間において放電灯のランプ電流を増加させるように駆動することで、色バランスを制御する方法が提案されている（例えば、特許文献１）。
【０００３】
また、３次元（以下、３Ｄともいう）映像を投射するプロジェクターにおいて、右眼用と左眼用との映像を時分割して交互に投射する時分割方式の３Ｄプロジェクターがある。この時分割方式の３Ｄプロジェクターは、投射する左眼用映像と右眼用映像とに同期してそれぞれ左眼用と右眼用との液晶シャッターの開閉を交互に切り替えるシャッター眼鏡を有している。そして、ユーザーは投射された映像を、シャッター眼鏡を介して見ることにより、３Ｄ映像を見ることができる。この場合、１フレームにおける映像が左眼用映像と右眼用映像との２つに時分割されることにより、投射される左眼用映像及び右眼用映像それぞれの明るさが半分となり、左眼及び右眼それぞれに届く映像の明るさが暗くなる。また、左眼用映像と右眼用映像とを切り替える際に、当該切り替えの期間において左眼用と右眼用との液晶シャッターを同時に閉じる制御をする期間があることにより、眼に届く映像の明るさが更に暗くなる。これを改善するために、左眼用と右眼用との何れかの液晶シャッターが開いている期間のランプ電流を増加させ、液晶シャッターが同時に閉じている期間のランプ電流を減少させるというようにランプ電流を振幅変調させる方法がある。この方法によれば、放電灯の駆動電力（以下、ランプ電力ともいう）の平均電力を増加させずに眼に届く映像の明るさを明るくすることができる。
【先行技術文献】
【特許文献】
【０００４】
【特許文献１】特開２００７−１２１９７１号公報
【発明の概要】
【発明が解決しようとする課題】
【０００５】
しかしながら、放電灯の駆動電圧（以下、ランプ電圧ともいう）には初期ばらつき及び経時変化があるため、放電灯に供給する平均電力が一定になるように駆動している場合であっても、ランプ電圧が低下すると、ランプ電流は増加することになる。よって、放電灯駆動装置は、放電灯のランプ電流を振幅変調する場合、ランプ電流の平均電流が定格電流以下であっても、ランプ電流を増加させた期間において、ランプ電流が定格電流を超えてしまう場合がある。この場合、放電灯駆動装置において発熱が問題になり、この対応として放電灯駆動装置に使用する部品のコストが高くなる、または、部品のサイズが大きくなるといった問題があった。
【０００６】
本発明は、このような事情に鑑みてなされたもので、その目的は、ランプ電流を振幅変調して放電灯を駆動する場合において、適切なランプ電流により放電灯を駆動することができる放電灯駆動装置、プロジェクター、及び放電灯駆動方法を提供することにある。
【課題を解決するための手段】
【０００７】
この発明は上述した課題を解決するためになされたもので、本発明の放電灯駆動装置は、入力された電力から、放電灯に供給するための電力の電流を制御して出力する電源部と、前記放電灯の駆動電圧を検出する電圧検出部と、検出された前記放電灯の駆動電圧に応じて、前記電源部から前記放電灯に供給される振幅変調された駆動電流の変調率を制御する制御部と、を備え、前記制御部は、前記放電灯の駆動電圧が所定の閾値以上の場合、前記放電灯に供給される駆動電流の変調率を所定の変調率に制御し、前記放電灯の駆動電圧が前記所定の閾値より低い場合、前記放電灯の駆動電圧の低下に応じて、前記放電灯に供給される駆動電流の変調率を前記所定の変調率より低い変調率に制御することを特徴とする。
この発明によると、制御部は、放電灯の駆動電圧に応じて、電源部から放電灯に供給される駆動電流の変調率を制御する。よって、本発明の放電灯駆動装置は、駆動電流を振幅変調して放電灯を駆動する場合において、放電灯の駆動電圧に応じて、適切な変調率により振幅変調した駆動電流により放電灯を駆動することができる。また、放電灯の駆動電圧が低下した場合、制御部は、その低下した駆動電圧に応じて、放電灯に供給される駆動電流を振幅変調する変調率を低い変調率に制御する。よって、本発明の放電灯駆動装置は、駆動電流を振幅変調して放電灯を駆動する場合において、放電灯の駆動電圧の低下に応じて、低い変調率により振幅変調した適切な駆動電流で放電灯を駆動することができる。
また、この発明によると、放電灯の駆動電流を所定の変調率により振幅変調するとともに、放電灯の駆動電圧が低下した場合、制御部は、その低下した駆動電圧に応じて、放電灯に供給される駆動電流を所定の変調率より低い変調率に制御する。よって、本発明の放電灯駆動装置は、駆動電流を振幅変調して放電灯を駆動する場合において、放電灯の駆動電圧の低下に応じて、低い変調率により振幅変調した適切な駆動電流で放電灯を駆動することができる。
【００１０】
また、本発明の放電灯駆動装置は、前記放電灯の駆動電流を検出する電流検出部、を備え、前記制御部は、前記放電灯に供給される駆動電流の変調率を制御する場合、検出された前記放電灯の駆動電圧と駆動電流とに基づいて算出した前記放電灯の駆動電力の平均電力が、一定となるように制御する。
この発明によると、制御部は、放電灯に供給される駆動電流の変調率を制御する場合、駆動電力の平均電力が一定になるように制御する。よって、本発明の放電灯駆動装置は、駆動電流を振幅変調して放電灯を駆動する場合において、駆動電力の平均電力を増加させることなく放電灯を駆動することができる。
【００１１】
また、本発明の放電灯駆動装置において、前記放電灯に供給される駆動電流の変調周波数は、入力される映像同期信号の周波数に同期した周波数であることを特徴とする。
この発明によると、制御部は、放電灯に供給される駆動電流を映像同期信号の周波数に同期した周波数により振幅変調する。よって、本発明の放電灯駆動装置は、駆動電流を振幅変調して放電灯を駆動する場合において、映像同期信号の周波数に同期させて放電灯の明るさを制御することができる。
【００１２】
また、本発明の放電灯駆動装置において、前記所定の閾値は、前記放電灯が製造された初期における駆動電圧以下の電圧であることを特徴とする。
この発明によると、放電灯が製造された初期における駆動電圧に対して、当該放電灯の駆動電圧が低下した場合、当該駆動電圧の低下に応じて駆動電流の変調率を制御する。よって、本発明の放電灯駆動装置は、駆動電流を振幅変調して放電灯を駆動する場合において、経時変化等によって製造された初期の駆動電圧よりも駆動電圧が低下した場合、適切な駆動電流で放電灯を駆動することができる。
【００１３】
また、本発明のプロジェクターは、上述の放電灯駆動装置を備えることを特徴とする。
この発明によると、駆動電流を振幅変調して放電灯を駆動する場合において、放電灯の駆動電圧に応じて、適切な変調率により振幅変調した駆動電流により放電灯を駆動するプロジェクターを提供することができる。
【００１４】
また、本発明のプロジェクターは、上述の放電灯駆動装置と、時分割方式により、投射される映像を左眼用映像と右眼用映像とに交互に切り替える制御をするとともに、前記左眼用映像と前記右眼用映像との切り替えタイミングに同期した映像同期信号を出力する映像制御部と、を備え、前記放電灯駆動装置は、前記映像同期信号に基づいて、前記放電灯に供給する駆動電流を前記映像同期信号の周波数に同期させた周波数で振幅変調することを特徴とする。
この発明によると、プロジェクターは、投射される左眼用映像と右眼用映像との切り替えタイミングに同期して、放電灯に供給する駆動電流を振幅変調する。よって、本発明のプロジェクターは、平均電力を増加させることなく眼に届く映像を明るくするとともに、放電灯の駆動電圧が低下した場合においても、適切な駆動電流で放電灯を駆動することができる。
【００１５】
また、本発明の放電灯駆動方法は、電源部が、入力された電力から、放電灯に供給するための電力の電流を制御して出力する手順と、電圧検出部が、前記放電灯の駆動電圧を検出する手順と、制御部が、検出された前記放電灯の駆動電圧に応じて、前記電源部から前記放電灯に供給される振幅変調された駆動電流の変調率を制御する制御手順と、を有し、前記制御部が、前記制御手順において、前記放電灯の駆動電圧が所定の閾値以上の場合、前記放電灯に供給される駆動電流の変調率を所定の変調率に制御し、前記放電灯の駆動電圧が前記所定の閾値より低い場合、前記放電灯の駆動電圧の低下に応じて、前記放電灯に供給される駆動電流の変調率を前記所定の変調率より低い変調率に制御することを特徴とする。
この発明によると、制御部において、放電灯の駆動電圧に応じて、電源部から放電灯に供給する駆動電流の変調率を制御する手順を実行する。よって、本発明の放電灯駆動方法によれば、ランプ電流を振幅変調して放電灯を駆動する場合において、放電灯の駆動電圧に応じて、適切な変調率により振幅変調した駆動電流により放電灯を駆動することができる。また、放電灯の駆動電圧が低下した場合、制御部は、その低下した駆動電圧に応じて、放電灯に供給される駆動電流を振幅変調する変調率を低い変調率に制御する。よって、本発明の放電灯駆動装置は、駆動電流を振幅変調して放電灯を駆動する場合において、放電灯の駆動電圧の低下に応じて、低い変調率により振幅変調した適切な駆動電流で放電灯を駆動することができる。
また、この発明によると、放電灯の駆動電流を所定の変調率により振幅変調するとともに、放電灯の駆動電圧が低下した場合、制御部は、その低下した駆動電圧に応じて、放電灯に供給される駆動電流を所定の変調率より低い変調率に制御する。よって、本発明の放電灯駆動装置は、駆動電流を振幅変調して放電灯を駆動する場合において、放電灯の駆動電圧の低下に応じて、低い変調率により振幅変調した適切な駆動電流で放電灯を駆動することができる。
【図面の簡単な説明】
【００１６】
【図１】本発明の実施形態によるプロジェクターの構成を示す概略ブロック図である。
【図２】ランプ電力と映像とシャッター眼鏡との関係を示すタイミングチャートである。
【図３】放電灯を駆動する場合のランプ電圧とランプ電流との関係を示す波形図である。
【図４】ランプ電流を振幅変調する際の変調率の制御を示す波形図である。
【図５】実施形態による放電灯駆動装置の構成の一例を示す概略ブロック図である。
【図６】ランプ電流を振幅変調した場合の各部の出力状態を示す波形図である。
【図７】ランプ電流の振幅変調率の制御を示すフローチャートである。
【発明を実施するための形態】
【００１７】
以下、図面を参照して、本発明の実施の形態について説明する。なお、以下の各図面においては各構成要素を見やすくするため、構成要素によって寸法の縮尺を異ならせて示すことがある。
【００１８】
図１は、本発明の一実施形態によるプロジェクター１００の構成の一例を示す概略ブロック図である。図１に示すプロジェクター１００は、１フレーム毎に時分割して左眼用映像と右眼用映像とを交互に切り替えてスクリーン１２７に投射し、ユーザーがシャッター眼鏡８０を介して当該投射された映像を見ることにより立体感のある３次元（以下、３Ｄ）映像が得られる時分割方式の３Ｄプロジェクターである。プロジェクター１００は、照明装置１１０、色分離光学系１２１、液晶ライトバルブ１２２〜１２４、クロスダイクロイックプリズム１２５、投射光学系１２６、映像制御部５０、シャッター眼鏡制御部６０、送信部７０、及びシャッター眼鏡８０を備えている。
【００１９】
照明装置１１０は、光源装置３０と、第１レンズアレイ１１１および第２レンズアレイ１１２とを備えている。また、第１レンズアレイ１１１および第２レンズアレイ１１２は、それぞれ複数のレンズ１１１ａおよびレンズ１１２ａを備えている。そして、光源装置３０から射出された光は、第１レンズアレイ１１１および第２レンズアレイ１１２を介すことにより、被照明領域である液晶ライトバルブ１２２〜１２４において、照度分布が均一化されるようになっている。
【００２０】
色分離光学系１２１は、ダイクロイックミラー１１３、１１４と、反射ミラー１１５〜１１７と、レンズ１１８〜１２０とを備えており、照明装置１１０から入射された光を、赤色光ＬＲ、緑色光ＬＧ、および青色光ＬＢに分離して、液晶ライトバルブ１２２〜１２４にそれぞれ入射する。ダイクロイックミラー１１３、１１４は、所定の波長領域の光を選択的に反射して、それ以外の波長領域の光を透過させるミラーであり、例えば透明基板上に誘電体多層膜が積層されたミラーである。ダイクロイックミラー１１３は、照明装置１１０からの光のうち赤色光ＬＲを透過させ、緑色光ＬＧ、および青色光ＬＢを反射する。ダイクロイックミラー１１４は、反射された緑色光ＬＧ、および青色光ＬＢのうち、青色光ＬＢを透過させ、緑色光ＬＧを反射する。
【００２１】
これにより、照明装置１１０からの光のうち、赤色光ＬＲは、ダイクロイックミラー１１３を透過した後、反射ミラー１１７で反射され、赤色光用の液晶ライトバルブ１２２に入射される。緑色光ＬＧは、ダイクロイックミラー１１３で反射された後、ダイクロイックミラー１１４で反射され、緑色光用の液晶ライトバルブ１２３に入射される。青色光ＬＢは、ダイクロイックミラー１１３で反射され、ダイクロイックミラー１１４を透過した後、レンズ１１８、反射ミラー１１５、レンズ１１９、反射ミラー１１６、およびレンズ１２０を介して、青色光用の液晶ライトバルブ１２４に入射される。
【００２２】
液晶ライトバルブ１２２〜１２４は、外部から入力される映像信号に基づいて、入射された赤色光ＬＲ、緑色光ＬＧ、および青色光ＬＢを変調して赤色の映像光、緑色の映像光、および青色の映像光を生成し、それぞれクロスダイクロイックプリズム１２５に入射する。
【００２３】
クロスダイクロイックプリズム１２５は、入射された赤色の映像光、緑色の映像光、および青色の映像光を合成してカラー映像光を生成する。クロスダイクロイックプリズム１２５は、直角プリズムが貼り合わされた構造となっており、その内面に赤色の映像光を反射するミラー面と青色の映像光を反射するミラー面とが十字状に形成されている。これにより、入射された赤色の映像光、緑色の映像光、および青色の映像光が、このミラー面を介して合成され、カラー映像光が生成される。
プロジェクター１００は、生成されたカラー映像光を、投射光学系１２６を介してスクリーン１２７に拡大投射することにより、入力された映像信号に基づく映像を投射する。
【００２４】
映像制御部５０は、入力された映像信号に基づいて、時分割方式により、投射される映像を左眼用映像と右眼用映像とに交互に切り替える制御をする。例えば、映像制御部５０は、1フレーム期間を２つの１/２フレーム期間に時分割し、１/２フレーム期間毎に左眼用映像と右眼用映像とを切り替え、当該切り替えた左眼用映像と右眼用映像とに基づく映像信号を液晶ライトバルブ１２２〜１２４に出力する。液晶ライトバルブ１２２〜１２４は、入力された左眼用映像と右眼用映像とに基づく映像信号を変調して映像光を生成する。そして、プロジェクター１００は、生成された映像光をクロスダイクロイックプリズム１２５、及び投射光学系１２６を介してスクリーン１２７に拡大投射することにより、左眼用映像と右眼用映像とを投射する。
【００２５】
また、映像制御部５０は、左眼用映像と右眼用映像との切り替えタイミングに同期した映像同期信号を、光源装置３０及びシャッター眼鏡制御部６０に出力する。シャッター眼鏡制御部６０は、入力された映像同期信号に基づいて、シャッター眼鏡８０の有している左眼用シャッター８１Ｌ、及び右眼用シャッター８１Ｒの開閉を制御する制御信号を生成する。例えば、シャッター眼鏡制御部６０は、左眼用シャッター８１Ｌを開いている状態に制御する場合、左眼用シャッター制御信号をＨ（ハイ）レベルにし、左眼用シャッター８１Ｌを閉じている状態に制御する場合、左眼用シャッター制御信号をＬ（ロウ）レベルにする。また、シャッター眼鏡制御部６０は、右眼用シャッター８１Ｒを開いている状態に制御する場合、右眼用シャッター制御信号をＨ（ハイ）レベルにし、右眼用シャッター８１Ｒを閉じている状態に制御する場合、右眼用シャッター制御信号をＬ（ロウ）レベルにする。そして、シャッター眼鏡制御部６０は、左眼用シャッター制御信号、及び右眼用シャッター制御信号を、送信部７０を介してシャッター眼鏡８０に無線送信または有線送信する。
【００２６】
シャッター眼鏡８０は、シャッター眼鏡制御部６０から送信部７０を介して送信された、左眼用シャッター制御信号、及び右眼用シャッター制御信号に基づいて、左眼用シャッター８１Ｌ、及び右眼用シャッター８１Ｒの開閉を駆動する。例えば、左眼用シャッター８１Ｌ、及び右眼用シャッター８１Ｒには、シャッターとして液晶シャッターが用いられている。そして、当該液晶シャッターに印加される駆動電圧が制御されることにより、光を透過する透過状態と光を透過しない非透過状態とが切り替わる。
【００２７】
このように、プロジェクター１００は、入力された映像信号に基づいて、左眼用映像と右眼用映像とを交互に切り替えてスクリーン１２７に投射する。そして、ユーザーは、シャッター眼鏡８０を介して投射された映像を見ることにより、左眼用映像のみを左眼から、また右眼用映像のみを右眼から見ることとなる。これにより、プロジェクター１００において、ユーザーにとって立体感のある３Ｄ映像が得られる。
【００２８】
また、光源装置３０は、放電灯２０、及び放電灯２０を駆動して点灯を制御する放電灯駆動装置１０を備えている。放電灯２０は、例えば、高圧水銀ランプ、ハロゲンランプ、およびメタルハライドランプ等である。
ところで、ユーザーにとっては、スクリーン１２７に投射される映像がより明るいことが望まれる。プロジェクター１００によりスクリーン１２７に投射される映像の明るさは、放電灯２０から出射される光量が大きいほど明るくなる。しかし、上述したプロジェクター１００において３Ｄ映像を得るためには、１つのフレームにおける映像が左眼用映像と右眼用映像との２つに時分割されることにより、眼に届く左眼用映像及び右眼用映像それぞれの光量が減少し、左眼及び右眼それぞれに届く映像の光量が減少する。また、シャッター眼鏡８０における液晶シャッターの光透過率も１００％ではないこと等により更に眼に届く光量が減少する。よって、プロジェクター１００において、３Ｄ映像が得られる半面、通常の映像(両眼用の映像のみでシャッター眼鏡を用いない通常の２Ｄ映像)が投射される場合の光源の制御と同様の制御では、眼に届く映像の明るさが暗くなってしまう。
【００２９】
また、３Ｄ映像を投射する場合、プロジェクター１００は、左眼用映像と右眼用映像との切り替えのために映像の表示が安定していない期間（例えば、左眼用映像と右眼用映像とが混在している期間）において、シャッター眼鏡８０の左眼用シャッター８１Ｌ、及び右眼用シャッター８１Ｒの両方のシャッターを閉じている状態に制御をしている。この制御は、映像が眼に届く期間を更に短くし、眼に届く映像の明るさが暗くなる要因の１つとなっているが、反面、この制御により両方のシャッターが閉じている状態の期間においては、放電灯２０の光量を大きくする必要がない。そのため、放電灯駆動装置１０は、この両方のシャッターが閉じている期間の放電灯２０の光量を小さくさせ、左眼用シャッター８１Ｌ、または右眼用シャッター８１Ｒを開いている期間の放電灯２０の光量を大きくさせるように駆動する。
【００３０】
例えば、放電灯駆動装置１０は、映像制御部５０から入力された映像同期信号に基づいて、当該映像同期信号の周波数に同期させて、放電灯２０に供給するランプ電流を所定の変調率により振幅変調する。具体的には、放電灯駆動装置１０は、シャッター眼鏡８０の両方のシャッターが閉じている期間においてランプ電流を小さくし、左眼用または右眼用シャッターのどちらかが開いている期間においてランプ電流を大きくする。これにより、３Ｄ映像を投射する場合、プロジェクター１００は、放電灯２０に流れる平均のランプ電流を増加させずに、眼に届く映像の明るさを明るくすることができる。
【００３１】
次に、図２を用いて、プロジェクター１００が、３Ｄ映像を投射する場合において、ランプ電流を振幅変調して放電灯２０を駆動する制御について説明する。
図２は、映像同期信号の周波数に同期してランプ電流を振幅変調した場合のランプ電力と、映像と、シャッター眼鏡８０との関係を示すタイミングチャートである。ここで、映像同期信号は、映像の１フレーム期間の１/２の期間を１周期とする信号であって、当該同期信号の立ち上がりエッジのタイミングにおいて左眼用映像と右眼用映像との切り替えを開始し、立ち下がりエッジのタイミングにおいて映像の切り替えが終了している信号である場合を例としている。また、図２の横軸は時刻であり、図２（ａ）は映像信号の状態、図２（ｂ）はシャッター制御信号の信号レベル、図２（ｃ）はシャッターの開閉状態、図２（ｄ）はランプ電力をそれぞれ示している。
なお、この図ではランプ電流、及びランプ電力が変調率５０％で振幅変調される場合を一例として示している。
【００３２】
図２の時刻ｔ０から時刻ｔ４の期間は、映像の１フレームの期間に相当する。また、時刻ｔ０から時刻ｔ２の期間と時刻ｔ２から時刻ｔ４の期間とは、１フレームの期間が２つの１／２フレームの期間に時分割されたそれぞれの期間である。
【００３３】
時刻ｔ０から時刻ｔ１の期間において、プロジェクター１００は、投射する映像を右眼用映像から左眼用映像に切り替える。この期間において、シャッター眼鏡制御部６０は、左眼用シャッター制御信号、及び右眼用シャッター制御信号をＬ（ロウ）レベルにして、シャッター眼鏡８０の左眼用シャッター８１Ｌ、及び右眼用シャッター８１Ｒの両方のシャッターを閉じている状態に制御する。また、放電灯駆動装置１０は、放電灯２０のランプ電力を定格電力Ｐｍから５０％低下させた電力で駆動する。
【００３４】
次に、時刻ｔ１から時刻ｔ２の期間において、プロジェクター１００は、投射する映像として左眼用映像を投射する。この期間において、シャッター眼鏡制御部６０は、左眼用シャッター制御信号をＨ（ハイ）レベルにし、一方、右眼用シャッター制御信号をＬ（ロウ）レベルにする。すなわち、シャッター眼鏡制御部６０は、シャッター眼鏡８０の左眼用シャッター８１Ｌを開いている状態に制御し、一方、右眼用シャッター８１Ｒを閉じている状態に制御する。また、放電灯駆動装置１０は、放電灯２０のランプ電力を定格電力Ｐｍから５０％増加させた電力で駆動する。
【００３５】
また、時刻ｔ２から時刻ｔ３の期間において、プロジェクター１００は、投射する映像を左眼用映像から右眼用映像に切り替える。この期間において、シャッター眼鏡制御部６０は、左眼用シャッター制御信号、及び右眼用シャッター制御信号をＬ（ロウ）レベルにして、シャッター眼鏡８０の左眼用シャッター８１Ｌ、及び右眼用シャッター８１Ｒの両方のシャッターを閉じている状態に制御する。また、放電灯駆動装置１０は、放電灯２０のランプ電力を定格電力Ｐｍから５０％低下させた電力で駆動する。
【００３６】
そして、時刻ｔ３から時刻ｔ４の期間において、プロジェクター１００は、投射する映像として右眼用映像を投射する。この期間において、シャッター眼鏡制御部６０は、左眼用シャッター制御信号をＬ（ロウ）レベルにし、一方、右眼用シャッター制御信号をＨ（ハイ）レベルにする。すなわち、シャッター眼鏡制御部６０は、シャッター眼鏡８０の左眼用シャッター８１Ｌを閉じている状態に制御し、一方、右眼用シャッター８１Ｒ開いている状態に制御する。また、放電灯駆動装置１０は、放電灯２０のランプ電力を定格電力Ｐｍから５０％増加させた電力で駆動する。
【００３７】
このように、プロジェクター１００は、左眼用映像または右眼用映像を投射している期間においては、定格電力Ｐｍから５０％増加させたランプ電力により放電灯２０を駆動し、左眼用映像または右眼用映像の切り替え期間においては定格電力Ｐｍから５０％減少させたランプ電力により放電灯２０を駆動する。よって、ランプ電力を増加させた期間と減少した期間とが同じ長さの期間であれば、平均のランプ電力としては定格電力Ｐｍを超えずに、投射する映像の明るさを明るくすることができる。
【００３８】
なお、放電灯２０は定電圧負荷であることから、放電灯２０を駆動するランプ電力の増加または減少を制御する場合、放電灯駆動装置１０は、放電灯２０のランプ電流を増加または減少させることにより制御する。例えば、図２を用いて説明したランプ電力５０％増加または５０％減少の切り替え制御をする場合、放電灯駆動装置１０は、放電灯２０に供給するランプ電流を変調率５０％で振幅変調する制御をする。
【００３９】
図３は、放電灯２０を駆動する場合のランプ電圧とランプ電流との関係を示す波形図である。また、この図のランプ電流は、ランプ電流を振幅変調しない場合のランプ電流を示している。放電灯２０のランプ電圧の代表的な初期電圧（製造ばらつきの中心であり、製造された後の初期時点の電圧）を電圧Ｖ１とした場合、製造ばらつきまたは経時変化等により、ランプ電圧は電圧Ｖ１よりも高い電圧または低い電圧になる場合がある。この場合、放電灯駆動装置１０は、放電灯２０のランプ電圧が変動しても定格電力Ｐｍを超えないように、定電力駆動するように制御する。また、放電灯駆動装置１０は、ランプ電圧の変動に対して定電力駆動する場合であって、ランプ電流が定格電流Ｉｍとなる電圧Ｖ２までランプ電圧が低下した場合、ランプ電流が定格電流Ｉｍを超えないように制御する。すなわち、放電灯駆動装置１０は、ランプ電圧が電圧Ｖ２以下の場合、放電灯２０に供給するランプ電流を定格電流Ｉｍに制限する制御をする。
【００４０】
しかし、放電灯２０に供給するランプ電流を振幅変調する場合、ランプ電力の定電力駆動制御及び定格電流Ｉｍによるランプ電流の電流制限をすることにより、平均のランプ電流はランプ電流を振幅変調しない場合のランプ電流と同等であり定格を超えないが、振幅変調された最大振幅の期間におけるランプ電流は定格を超える場合がある。放電灯駆動装置１０においてはランプ電流のほぼ２乗に比例して発熱が増加するため、ランプ電流が定格を超えた場合、増加した発熱に対応するために、使用する部品のコストが高くなる、または部品のサイズが大きくなるといった問題が生じる。すなわち、放電灯２０に供給するランプ電流を振幅変調する場合は、ランプ電流を振幅変調しない場合には問題とならなかったランプ電圧の低下に対して発熱に対する問題が生じることになる。
【００４１】
この問題を解決するために、本実施形態の放電灯駆動装置１０は、放電灯２０に供給するランプ電流を振幅変調する場合、放電灯２０のランプ電圧に応じて、放電灯２０に供給するランプ電流の変調率を制御する。
【００４２】
図４は、ランプ電流を振幅変調する際の変調率の制御を示す波形図であり、横軸はランプ電圧、縦軸は変調率である。この図を用いて、放電灯駆動装置１０が放電灯２０のランプ電圧に応じて、放電灯２０に供給するランプ電流の変調率を制御する制御について説明する。
【００４３】
放電灯駆動装置１０は、放電灯２０のランプ電圧が所定の閾値以上の場合、放電灯２０に供給するランプ電流の変調率を所定の変調率に制御する。例えば、放電灯２０のランプ電圧の所定の閾値を当該ランプ電圧の初期電圧である電圧Ｖ１とし、所定の変調率を変調率５０％とした場合において、放電灯駆動装置１０は、放電灯２０のランプ電圧が電圧Ｖ１以上の場合、ランプ電流を変調率５０％で振幅変調する。ここで、ランプ電圧の初期電圧とは、放電灯２０が製造された初期におけるランプ電圧である。例えば、放電灯２０のランプ電圧の所定の閾値とした電圧Ｖ１は、放電灯２０が製造された初期におけるランプ電圧であって、放電灯２０の部品毎に生じる製造ばらつきにおける中心値または下限値等に基づいて、予め定められた電圧である。
【００４４】
また、放電灯駆動装置１０は、放電灯２０のランプ電圧が所定の閾値より低い場合、放電灯２０のランプ電圧に応じて、放電灯２０に供給する駆動電流の変調率を所定の変調率より低い変調率に制御する。例えば、放電灯駆動装置１０は、放電灯２０のランプ電圧が電圧Ｖ１より低い場合、放電灯２０のランプ電圧の低下に応じて、放電灯２０に供給するランプ電流の変調率を変調率５０％より低い変調率に制御する。ここで、変調率５０％より低い変調率とは、ランプ電圧の低下に対応して予め定められた変調率であって、変調率０％以上５０％未満のうちの何れかの変調率である。
【００４５】
そして、放電灯駆動装置１０は、例えば、放電灯２０のランプ電圧が電圧Ｖ２以下になった場合、変調率０％の制御すなわち振幅変調しない制御をする。なお、放電灯駆動装置１０は、更にランプ電圧が電圧Ｖ２より低くなった場合、図３を用いて説明したように、ランプ電流を定格電流Ｉｍに制限する制御をする。
【００４６】
以上のように、プロジェクター１００は、映像同期信号の周波数に同期した周波数でランプ電流を振幅変調して放電灯２０に供給する。例えば、プロジェクター１００は、ユーザーがシャッター眼鏡を介して投射された映像を見る期間、すなわちシャッター眼鏡のシャッターが開いている状態の期間におけるランプ電流を大きくし、その他の期間におけるランプ電流を小さくする。これにより、プロジェクター１００は、ランプ電力の平均電力を増加させることなく、眼に届く映像の明るさを明るくすることができる。そして、放電灯２０のランプ電圧が初期電圧Ｖ１よりも低下した場合、ランプ電流の変調率を低くして振幅変調することにより、シャッター眼鏡のシャッターが開いている状態の期間におけるランプ電流の最大振幅の増大を抑えることができる。これにより、プロジェクター１００における各部の発熱を抑えることができ、発熱に対応した部品を使用する必要がないため、部品コストが高くなる、または部品サイズが大きくなることを抑制することができる。よって、プロジェクター１００は、ランプ電流を振幅変調して放電灯２０を駆動する場合において、適切なランプ電流により放電灯２０を駆動することができる。
【００４７】
次に、放電灯駆動装置１０の構成とランプ電流の振幅変調制御とについて具体的に説明する。
図５は、本発明の一実施形態による放電灯駆動装置１０の構成の一例を示す概略ブロック図である。放電灯駆動装置１０は、入力電源１、直流電源部２（電源部）、インバーター部３、イグナイター部４、電圧検出部５、電流検出部６、及び制御部７を備えており、放電灯２０を駆動する。
【００４８】
入力電源１は、直流電力を供給する電源であって、例えば、家庭用の商用交流電源を整流及び平滑して直流電源に変換された電源、直流電源装置、またはバッテリー等の何れであってもよい。直流電源部２は、例えばダウンコンバータであり、入力電源１から入力された直流電力から、放電灯２０に供給するための電力の電流を制御してインバーター部３に出力する。また、直流電源部２は、入力電源１から入力された直流電力の電圧を、放電灯２０を駆動するためのランプ電圧に調整する。
【００４９】
また、直流電源部２の出力端には並列に電圧検出部５が接続されている。電圧検出部５は、放電灯２０のランプ電圧を検出する。例えば、電圧検出部５は、直流電源部２の出力電圧をランプ電圧として検出し、検出した結果を制御部７に出力する。また、直流電源部２の出力の負電源側の電源線には、直列に電流検出部６が接続されている。電流検出部６は、当該電源線を流れる電流をランプ電流として検出し、検出した結果を制御部７に出力する。
【００５０】
インバーター部３は、例えばフルブリッジ接続された４つのスイッチング素子を備えており、４つのスイッチング素子のうちそれぞれ２つが対となる２組のスイッチング素子のオンとオフとを交互に切り替えることにより、直流電源部２から入力された直流電流を交流電流に変換する。そして、インバーター部３は、変換した交流電流を、放電灯２０に供給するランプ電流としてイグナイター部４に出力する。また、インバーター部３は、制御部７から出力される制御信号により上述のスイッチング素子が制御されて、直流電流を交流電流に変換する。
【００５１】
イグナイター部４は、例えばイグナイタートランス、及びその駆動回路を備えており、制御部７の制御により放電灯２０の始動時に高電圧パルスを発生して放電灯２０に印加する。また、イグナイター部４は、放電灯２０の始動後、インバーター部３から入力された交流電流を放電灯２０に供給して放電灯２０の点灯を継続する。
【００５２】
制御部７は、電圧検出部５により検出されたランプ電圧と電流検出部６により検出されたランプ電流とに基づいて、放電灯２０に供給されるランプ電力を算出する。そして、制御部７は、算出したランプ電力が目標電力（放電灯２０の定格電力Ｐｍ、または放電灯２０に供給するために予め定められた目標となる定格電力Ｐｍ以下のランプ電力）となるように、直流電源部２から出力される直流電流を直流電源部２に制御させる。
【００５３】
また、制御部７は、電圧検出部５により検出された放電灯２０のランプ電圧に応じて、直流電源部２から放電灯２０に供給される振幅変調されたランプ電流の変調率を制御する。例えば、制御部７は、放電灯２０のランプ電圧の低下に応じて、放電灯２０に供給されるランプ電流の変調率を低い変調率に制御する。
【００５４】
具体的には、制御部７は、検出された放電灯２０のランプ電圧が所定の閾値（例えば、電圧Ｖ１）以上の場合、放電灯２０に供給されるランプ電流の変調率を所定の変調率（例えば、変調率５０％）に制御する。また、制御部７は、検出された放電灯２０のランプ電圧が所定の閾値（例えば、電圧Ｖ１）より低い場合、放電灯２０のランプ電圧の低下に応じて、放電灯２０に供給されるランプ電流の変調率を所定の変調率（例えば、変調率５０％）より低い変調率に制御する。そして、制御部７は、放電灯２０に供給されるランプ電流の変調率を制御する場合、直流電源部２を制御することにより、直流電源部２から出力される直流電流を制御する。
【００５５】
また、制御部７は、放電灯２０に供給されるランプ電流の変調率を制御する場合、検出された放電灯２０のランプ電圧とランプ電流とに基づいて算出した放電灯２０に供給されるランプ電力の平均電力が、一定の電力すなわち目標電力となるように制御する。これにより、制御部７は、ランプ電流の変調率を制御して振幅変調する場合に、平均電力が定格電力Ｐｍを超えないように制御する。
【００５６】
また、放電灯２０に供給される駆動電流の変調周波数は、入力される映像同期信号の周波数に同期した周波数である。例えば、制御部７は、放電灯２０に供給されるランプ電流の変調周波数を、入力される映像同期信号の周波数に同期させる。具体的には、図１を用いて説明したように、プロジェクター１００の映像制御部５０は、映像同期信号を放電灯駆動装置１０に出力する。そして、制御部７は、映像制御部５０から入力された映像同期信号の周波数とランプ電流の振幅変調の周波数とを同期させることにより、プロジェクター１００において投射される左眼用映像及び右眼用映像のタイミング、またはシャッター眼鏡８０のシャッターの開閉タイミングと同期させてランプ電流の振幅変調を制御する。
【００５７】
図６は、放電灯駆動装置１０においてランプ電流を振幅変調した場合の各部の出力状態を示す波形図である。
図６の（１）は、ランプ電流を振幅変調して放電灯２０に供給する場合の、ランプ電圧（図６（ａ）に示す波形）、直流電源部２の出力電流（図６（ｂ）に示す波形）、インバーター波形（図６（ｃ）に示す波形）、インバーター部３の出力電流（図６（ｄ）に示す波形）、及びランプ電力（図６（ｅ）に示す波形）をそれぞれ示している。また、図６の（２）は、図６の（１）の比較として、ランプ電流を振幅変調しないで放電灯２０に供給する場合のそれぞれの波形を示している。
【００５８】
図６（ａ）において、ランプ電圧が電圧Ｖ１である場合を示している。図６（ｂ）は、制御部７により制御されて直流電源部２が出力する電流波形である。ランプ電流を振幅変調しない場合、直流電源部２は、「定格電力Ｐｍ／電圧Ｖ１」の電流を出力する。一方、ランプ電流を振幅変調する場合、直流電源部２は、「定格電力Ｐｍ／電圧Ｖ１」の電流に対して振幅変調して電流を出力する。なお、上述の出力電流の値は、放電灯２０に供給する目標電力を定格電力Ｐｍとした場合の値である。また、制御部７は、入力された映像同期信号の周波数に同期させた周波数ｆｓにより直流電源部２の出力電流の振幅変調をさせる場合を示している。
【００５９】
図６（ｃ）は、制御部７がインバーター部３を制御する制御信号（インバーター波形）を示している。この図において、インバーター周波数が周波数ｆｓの２倍の周波数となる周波数ｆｉである場合を示している。インバーター部３は、このインバーター周波数により、図６（ａ）に示す電流波形の電流を交流電流に変換して出力する。すなわち、インバーター部３の出力電流波形は、図６（ｄ）に示す波形である。ランプ電流を振幅変調しない場合、インバーター部３は、振幅の等しい交流電流を出力する。一方、ランプ電流を振幅変調する場合、インバーター部３は、インバーター周波数（周波数ｆｉ）の１周期毎に、振幅が異なる交流電流を出力する。
【００６０】
図６（ｅ）は、放電灯２０に供給されるランプ電力を示している。ランプ電流を振幅変調しない場合、放電灯２０に供給されるランプ電力は、定格電力Ｐｍである。一方、ランプ電流を振幅変調する場合、放電灯２０に供給されるランプ電力は、定格電力Ｐｍに対して周波数ｆｓにより振幅変調された電力である。
【００６１】
図７は、ランプ電流の振幅変調率の制御を示すフローチャートである。以下、図７を用いて、放電灯駆動装置１０におけるランプ電流の振幅変調率の制御動作について説明する。
【００６２】
放電灯２０は、放電灯駆動装置１０により始動して点灯している状態である。まず、放電灯駆動装置１０の電圧検出部５は、放電灯２０のランプ電圧を検出し、検出した結果を制御部７に出力する（ステップＳ１１）。また、電流検出部６は、直流電源部２の出力の負電源側の電源線を流れる電流をランプ電流として検出し、検出した結果を制御部７に出力する（ステップＳ１２）。
【００６３】
次に、制御部７は、電圧検出部５により検出されたランプ電圧、及び電流検出部６により検出されたランプ電流に基づいて、放電灯２０のランプ電力を算出する。そして、制御部７は、算出したランプ電力と予め定められた目標電力とを比較し、算出したランプ電力が目標電力となるように、目標となるランプ電流を算出する（ステップＳ１３）。
【００６４】
次に、制御部７は、算出した目標となるランプ電流が定格電流Ｉｍ以下であるか否かを判定する（ステップＳ１４）。ステップＳ１４において、算出した目標となるランプ電流が定格電流Ｉｍ以下でないと判定された場合、制御部７は、ランプ電流の変調率を０％、すなわち振幅変調しない設定とするとともに、直流電源部２に制御させるランプ電流を定格電流Ｉｍに設定し（ステップＳ１５）、ステップＳ２０に処理を進める。
【００６５】
一方、ステップＳ１４において、算出した目標となるランプ電流が定格電流Ｉｍ以下であると判定された場合、制御部７は、直流電源部２に制御させるランプ電流を、ステップＳ１３において算出した目標となるランプ電流に設定する（ステップＳ１６）。
【００６６】
次に、制御部７は、電圧検出部５により検出されたランプ電圧が所定の閾値（例えば、電圧Ｖ１）以上であるか否かを判定する（ステップＳ１７）。ステップＳ１７において、ランプ電圧が所定の閾値（例えば、電圧Ｖ１）以上であると判定された場合、制御部７は、ランプ電流の振幅変調率を所定の変調率（例えば、変調率５０％）に設定し（ステップＳ１８）、ステップＳ２０に処理を進める。
【００６７】
一方、ステップＳ１７において、ランプ電圧が所定の閾値（例えば、電圧Ｖ１）以上でないと判定された場合、制御部７は、ランプ電圧の低下に応じて、ランプ電流の振幅変調率を所定の変調率（例えば、変調率５０％）より低い変調率に設定する。例えば、制御部７は、所定の閾値（例えば、電圧Ｖ１）以下に低下したランプ電圧に応じて、ランプ電流の振幅変調率を所定の変調率（例えば、変調率５０％）より低い変調率（例えば、ランプ電圧の低下に対応して予め定められた変調率であって、変調率０％以上５０％未満のうちの何れかの変調率）に設定する（ステップＳ１９）。そして、制御部７は、ステップＳ２０に処理を進める。
【００６８】
そして、制御部７は、ステップＳ１５、Ｓ１６、Ｓ１８、またはＳ１９のそれぞれにおいて設定された、目標となるランプ電流及びランプ電流の振幅変調率に基づいて、設定されたランプ電流及びランプ電流の振幅変調率となるように、直流電源部２を制御する（ステップＳ２０）。これにより、直流電源部２は、制御部７の制御により、設定されたランプ電流及びランプ電流の振幅変調率となるように直流電源部２の出力電流を制御する。
【００６９】
このように、放電灯駆動装置１０は、目標電力となるように定電力駆動した際に、ランプ電圧の低下によりランプ電流が定格電流Ｉｍを超える場合、ランプ電流が定格電流Ｉｍを超えないように、ランプ電流を定格電流Ｉｍに制限する制御をする。また、放電灯駆動装置１０は、ランプ電圧が所定の閾値以上である場合、ランプ電力が目標電力となるような目標となるランプ電流に制御するとともに、当該ランプ電流を所定の変調率（例えば、変調率５０％）により振幅変調する制御をする。一方、放電灯駆動装置１０は、ランプ電圧が所定の閾値以上でない場合、ランプ電力が目標電力となるような目標となるランプ電流に制御するとともに、当該ランプ電流を所定の変調率（例えば、変調率５０％）より低い変調率により振幅変調する制御をする。
【００７０】
以上のように、本実施形態によれば、放電灯駆動装置１０は、ランプ電流を振幅変調するとともに、ランプ電圧が低下した場合は、ランプ電圧の低下に応じてランプ電流の変調率を低くして振幅変調する。これにより、放電灯駆動装置１０は、放電灯２０に供給するランプ電流の振幅が最大となる期間における放電灯２０の光量を大きくするとともに、ランプ電圧が低下した場合に、変調率を低く制御することによりランプ電流の最大振幅の増大を抑えることができる。そして、放電灯駆動装置１０は、ランプ電流の最大振幅の増大を抑えることにより発熱が抑えられるため、発熱に対応した部品を使用する必要がない。これにより、放電灯駆動装置１０は、部品コストが高くなる、または部品サイズが大きくなることを抑制することができる。よって、放電灯駆動装置１０は、ランプ電流を振幅変調して放電灯２０を駆動する場合において、適切なランプ電流により放電灯２０を駆動することができる。
【００７１】
また、放電灯２０のランプ電圧が低下した場合であって、ランプ電圧が低下する前と同じランプ電力で駆動された場合、ランプ電圧が低下する前の放電灯２０の光量と比較して、放電灯２０から出力される光量は変わらないがプロジェクター１００の光学系における光利用効率（光の集光効率）が高くなる特性がある。これは、放電灯２０のランプ電圧が低下した場合、ランプ電圧が低下する前に比較して放電灯２０におけるアーク長が短いことにより放電灯２０がより小さい点光源となるためである。そのため、放電灯駆動装置１０は、ランプ電圧の低下に応じて変調率を低く制御することによりランプ電流の最大振幅の増大を抑えても、眼に届く光量を減少させることなく光量を維持することができる。
【００７２】
よって、放電灯駆動装置１０は、放電灯２０に供給するランプ電流を変調することにより、ランプ電流の振幅が最大となる期間における放電灯２０の光量を大きくするとともに、ランプ電圧が低下した場合に、その光量を維持したまま、変調率を低く制御することによりランプ電流の最大振幅の増大を抑えることができる。
【００７３】
なお、上記実施形態において、シャッター眼鏡８０の有しているシャッターが開いている状態の期間と閉じている状態の期間とが同じ場合について説明したが、それぞれの期間は異なる長さの期間であってもよい。そして、当該それぞれの期間が異なる場合、放電灯駆動装置１０は、それぞれの期間におけるランプ電流の振幅を、変調しない場合の平均電力と同じになるように、電流増加期間の振幅変調率と電流減少期間の振幅変調率とを異なる変調率により制御してもよい。
【００７４】
また、上記実施形態において、放電灯駆動装置１０が、ランプ電流の振幅変調前のランプ電力とランプ電流の振幅変調後のランプ電力とが同じになるように制御する例について説明したが、これに限られるものではない。例えば、放電灯駆動装置１０は、ランプ電流の振幅変調前のランプ電力に対して、ランプ電流の振幅変調後のランプ電力が小さくなるように制御してもよい。また、放電灯駆動装置１０は、放電灯２０及び放電灯駆動装置１０の有する駆動回路の条件に基づいた許容可能な電力の範囲内において、ランプ電流の振幅変調後のランプ電力を大きくする制御をしてもよい。
【００７５】
また、上記実施形態において、放電灯駆動装置１０が、ランプ電流を振幅変調する際の所定の変調率を５０％とし、ランプ電圧の低下に応じて変調率を５０％から０％に制御する例について説明したが、これらの変調率は一例であって、その他の変調率によりランプ電流を振幅変調する制御としてもよい。
【００７６】
また、上記実施形態において、放電灯駆動装置１０が、ランプ電圧の変動に対して定電力駆動する場合であって、ランプ電流が定格電流Ｉｍとなる電圧Ｖ２までランプ電圧が低下した場合、ランプ電流が定格電流Ｉｍを超えないように制御する例について説明した。この場合、ランプ電流の制限値は、定格電流Ｉｍに限られるものではなく、放電灯２０及び放電灯駆動装置１０の有する駆動回路の条件により、許容される最大電流値としてもよいし、予め定められた任意の電流値であってもよい。
【００７７】
また、上記実施形態において、制御部７により制御されるインバーター部３におけるインバーター周波数がランプ電流の振幅変調の周波数ｆｓの２倍となる周波数ｆｉの場合を例に説明したが、インバーター周波数は、この周波数ｆｓの２倍となる周波数ｆｉ以外の周波数であってもよい。
【００７８】
また、上記実施形態において、電圧検出部５、及び電流検出部６は、直流電源部２の出力端に接続されて、直流電源部２の出力電圧、及び直流電源部２の出力の負電源側の電源線を流れる電流を、それぞれランプ電圧、及びランプ電流として検出する例について説明した。しかし、電圧検出部５、及び電流検出部６が接続される場所は、これに限られるものではない。例えば、イグナイター部４の出力端子に並列に電圧検出部５が接続され、放電灯２０に接続される電源線に直列に電流検出部６が接続されて、電圧検出部５、及び電流検出部６は、それぞれランプ電圧、及びランプ電流を検出してもよい。
【００７９】
また、上記実施形態において、放電灯駆動装置１０を備えるプロジェクター１００として、時分割方式の３Ｄプロジェクターについて説明したが、これに限られるものではない。例えば、放電灯駆動装置１０を備えるプロジェクター１００は、光源から出射される白色光を、複数の色フィルターを含むカラーホイールを用いて時分割し、この時分割した光をそれぞれの色の映像信号に変調して投射するプロジェクターであってもよい。また、プロジェクター１００は、プロジェクションテレビ、または、映画用映写機等の表示装置であってもよい。
【００８０】
なお、本実施形態における制御部７は、専用のハードウェアにより実現されるものであってもよく、また、メモリー及びＣＰＵ（Central Processing Unit）により構成され、上述の制御部７の各部の機能を実現するためのプログラムをメモリーにロードして実行することによりその機能を実現させるものであってもよい。
【００８１】
また、上述の制御部７における各部の機能を実現するためのプログラムをコンピューター読み取り可能な記録媒体に記録して、この記録媒体に記録されたプログラムをコンピューターシステムに読み込ませ、実行することにより制御部７の各部の処理を行ってもよい。なお、ここでいう「コンピューターシステム」とは、ＯＳや周辺機器等のハードウェアを含むものとする。
【００８２】
また、「コンピューターシステム」は、ＷＷＷシステムを利用している場合であれば、ホームページ提供環境（あるいは表示環境）も含むものとする。
また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピューターシステム内部の揮発性メモリーのように、一定時間プログラムを保持しているものも含むものとする。また上記プログラムは、前述した機能の一部を実現するためのものであっても良く、さらに前述した機能をコンピューターシステムにすでに記録されているプログラムとの組み合わせで実現できるものであっても良い。
【００８３】
以上、この発明の実施形態を図面を参照して詳述してきたが、具体的な構成はこの実施形態に限られるものではなく、この発明の要旨を逸脱しない範囲の設計等も含まれる。
【符号の説明】
【００８４】
２…直流電源部（電源部）、３…インバーター部、４…イグナイター部、５…電圧検出部、６…電流検出部、７…制御部、１０…放電灯駆動装置、２０…放電灯、５０…映像制御部、１００…プロジェクター
【図１】
0005807331.tif 000002
【図２】
0005807331.tif 000003
【図３】
0005807331.tif 000004
【図４】
0005807331.tif 000005
【図５】
0005807331.tif 000006
【図６】
0005807331.tif 000007
【図７】
0005807331.tif 000008